(57)【特許請求の範囲】
【請求項１】
本体筐体と、前記本体筐体に配設された操作表示部と、前記操作表示部に設けられた操作表示部筐体と、前記操作表示部筺体に配設された表示パネルと、前記表示パネルの裏面に配設される表示デバイスと、を備え、前記表示パネルは中央部に表示窓を形成し、前記表示パネルの外周部と前記表示デバイスの外周部との間にタッチセンサ式の導電面を備えた回路基板を配設し、前記表示デバイスの外周部に前記回路基板に当接する押えリブを形成した衣類処理装置。
【発明の詳細な説明】
【技術分野】
【０００１】
本発明は、衣類を洗濯、脱水及び／又は乾燥するための衣類処理装置に関する。
【背景技術】
【０００２】
従来、この種の衣類処理装置は、運転コース等のモードや各種機能の選択、設定、表示をする操作表示部には、タッチセンサ式釦を設けた構成が提案されている（例えば、特許文献１参照）。
【０００３】
特許文献１には、導電板とアースにおける電位変動で、誘電体要素に触れたときに形成された回路に導電容量回路が形成されるタッチセンサ式釦の構成が提案されている。
【先行技術文献】
【特許文献】
【０００４】
【特許文献１】特開２００２−２５３８９２号公報
【発明の概要】
【発明が解決しようとする課題】
【０００５】
しかしながら、特許文献１に記載された従来のタッチセンサ式釦の構成では、最近の商品傾向である表示部の大型化に対応する場合には、表示デバイスの大型化とともにタッチセンサ釦部も外側へ移動することになり、表示部とタッチセンサ式釦との平面上の間隔が拡がってしまい、表示部の表示内容を確認しながら釦操作する際に、操作性が悪化するという課題があった。
【０００６】
本発明は、前記従来の課題を解決するもので、表示部を大型化しても、表示部と釦部との間隔を大きく拡げることなく、表示部の表示内容を確認しながらの釦操作性を向上させた衣類処理装置を提供することを目的としている。
【課題を解決するための手段】
【０００７】
前記従来の課題を解決するために、本発明の衣類処理装置は、本体筐体と、前記本体筺体に配設された操作表示部と、前記操作表示部に設けられた操作表示部筐体と、前記操作表示部筺体に配設された表示パネルと、前記表示パネルの裏面に配設される表示デバイスと、を備え、前記表示パネルは中央部に表示窓を形成し、前記表示パネルの外周部と前記表示デバイスの外周部との間にタッチセンサ式の導電面を備えた回路基板を配設し、前記表示デバイスの外周部に前記回路基板に当接する押えリブを形成したものである。
【０００８】
これによって、運転コース等のモードや各種機能の設定を行なう操作部と、設定内容などを表示する表示窓との間隔を小さくすることができるので、表示窓を大型化しても、操作性を向上することができるとともに、回路基板と操作表示部筺体裏面との間に設けた接
着剤の密着力を高めることができ、導電容量回路の形成をより安定させることができる。
【発明の効果】
【０００９】
本発明に係る衣類処理装置は、操作表示部における表示部の表示内容確認しながらの釦の操作性を向上することができる。
【図面の簡単な説明】
【００１０】
【図１】本発明の実施の形態における衣類処理装置として例示する洗濯機の一部透視した外観斜視図
【図２】同洗濯機の操作表示部の正面図
【図３】同洗濯機の操作表示部の断面図
【発明を実施するための形態】
【００１１】
第１の発明は、本体筐体と、前記本体筺体に配設された操作表示部と、前記操作表示部に設けられた操作表示部筐体と、前記操作表示部筺体に配設された表示パネルと、前記表示パネルの裏面に配設される表示デバイスと、を備え、前記表示パネルは中央部に表示窓を形成し、前記表示パネルの外周部と前記表示デバイスの外周部との間にタッチセンサ式の導電面を備えた回路基板を配設し、前記表示デバイスの外周部に前記回路基板に当接する押えリブを形成したものである。
【００１２】
これによって、運転コース等のモードや各種機能の設定を行なう操作部と、設定内容などを表示する表示窓との間隔を小さくすることができるので、表示窓を大型化しても、操作性を向上することができるとともに、回路基板と操作表示部筺体裏面との間に設けた接着剤の密着力を高めることができ、導電容量回路の形成をより安定させることができる。
【００１５】
（実施の形態１）
図１は、本発明の実施の形態における衣類処理装置として例示する洗濯機の一部を透視した外観斜視図、図２は、同洗濯機の操作表示部の正面図、図３は、同洗濯機の操作表示部の断面図である。
【００１６】
図１において、本実施の形態では、衣類処理装置として洗濯機１００を例示しており、洗濯機１００の本体筐体１１０の内部には、水槽１１２を揺動自在に配設し、水槽１１２内に洗濯物を収容する回転ドラム１１１を回転自在に配設している。
【００１７】
回転ドラム１１１は、水槽１１２背面の外側に取り付けられたモータ（図示せず）により回転駆動され、本実施の形態の洗濯機１００は、洗い行程、すすぎ行程、脱水行程、乾燥行程を行う機能を有している。なお、乾燥行程を行う機能は省略してもよい。
【００１８】
本体筐体１１０の前面上部には、運転コース等のモードや各種機能を設定し、設定した状態を表示する操作表示部１２０が配設されている。
【００１９】
図２及び図３において、操作表示部１２０は、操作表示部筐体１３０を有しており、操作表示部筐体１３０には、中央部に矩形状の開口部１３３が形成されている。開口部１３３の周囲には、操作表示部筐体１３０表面から裏面側に向かって段部１３２が形成され、開口部１３３周縁には、裏面側に向かって角筒状リブ１３１が延設されている。
【００２０】
段部１３２には、無色透明板もしくは有色透明板からなる表示パネル１６０が両面テープなどの接着剤１８０により貼着されている。表示パネル１６０の外周部分、本実施の形態では、表示パネル１６０の下側位置と右側位置に、運転コース等のモードや各種機能の設定を行なうためのタッチ式釦部である操作部１６２を形成し、略中央部分には、操作部や印刷のない表示窓１６１を構成している。
【００２１】
操作表示部筐体１３０の裏面側には、メイン基板１５２に取り付けられた表示デバイス１４０が開口部１３３に臨ませて配設され、表示デバイス１４０の表示エリアであるデバイス表示部１４１に表示される運転コースや各モード等を表示パネル１６０の表示窓１６
１を介して視認できるように構成している。
【００２２】
操作表示部筐体１３０の段部１３２裏面と表示デバイス１４０外周の非表示部分との間の隙間Ａには、回路基板１５０が両面テープなどの接着剤１７０により取り付けられており、回路基板１５０には、タッチセンサ式釦部である操作部１６２の導電面１５１が形成されている。
【００２３】
使用者が、表示パネル１６０の操作部１６２に触れると、誘電体要素である表示パネル１６０、接着剤１８０、操作表示部筐体１３０、及び接着剤１７０を介して、回路基板１５０に設けられた導電面１５１とアースによって、誘電体要素に触れたときに形成される導電容量回路が形成されることで、釦操作による運転コース等のモードや各種機能の設定ができる。設定した内容や行程の進行状況等の表示は上述のように、表示デバイス１４０のデバイス表示部１４１に表示され、その表示を表示窓１６１を介して外方から確認できる。
【００２４】
操作表示部筐体１３０の段部１３２の裏面側と表示デバイス１４０のデバイス非表示部１４２との間に形成され隙間Ａに回路基板１５０を配設し、回路基板１５０を表示デバイス１４０に重なり合わせて配置しているので、表示窓１６１と操作部１６２を近づけることができるので、表示窓１６１に表示した表示内容を確認しながら操作でき、操作性を向上することができる。
【００２５】
表示デバイス１４０の外周部には、押えリブ２４３を形成し、押えリブ２４３を回路基板１５０の導電面１５１の裏面側に圧接することにより、接着剤１７０の密着力を高めている。これにより、導電容量回路の形成をより安定させることができる。
【００２６】
以上のように、本実施の形態においては、操作表示部１２０は、操作表示部筐体１３０の段部１３２の略中央部に設けた矩形状の開口部１３３から背面側に向かって角筒状リブ１３１を延設し、角筒状リブ１３１の外周側で、段部１３２の裏面側と表示デバイス１４０のデバイス非表示部１４２との間に形成された隙間にタッチセンサ式釦の導電面１５１を有する回路基板１５０を配設し、操作部１６２に接触することにより、導電面１５１とアースにより導電容量回路を形成して、運転コース等のモードや各種機能の設定および表示を行なう構成としたことにより、運転コース等のモードや各種機能の設定を行なうタッチセンサ式の操作部１６２と、その設定内容などを表示する表示窓１６１との間隔を小さくすることができるので、表示窓１６１を大型化しても、釦の操作性を向上することができる。
【００２７】
また、表示デバイス１４０の外周部に形成した押えリブ２４３にて回路基板１５０を圧接することにより、回路基板１５０と操作表示部筐体１３０裏面との間に設けた接着剤１７０の密着力を高めた構成としたことにより、導電容量回路の形成をより安定させることができる。
【００２８】
本実施の形態は、本体筐体１１０の略垂直な前面に操作表示部１２０を配設したが、本体筐体１１０の前方上面に前下がりの傾斜面を形成し、傾斜面に操作表示部１２０を配設してもよい。傾斜面に操作表示部１２０を配設した構成にすると、表示パネル１６０上に滴下した液体洗剤等が流れ落ち、液体洗剤等が操作表示部筐体１３０と表示パネル１６０との間に生じる隙間に侵入する場合が生じる。操作表示部筐体１３０と表示パネル１６０との隙間に侵入した液体洗剤等が接着剤１８０として用いる両面テープに接触すると、両面テープの粘着力が低下して、両面テープの剥がれが生じる虞がある。従って、両面テープは、表示パネル１６０の内側になる大きさに形成することが好ましい。
【００２９】
なお、操作表示部筐体１３０を無色透明もしくは有色透明とし、表示パネル１６０をなくして、操作表示部筐体１３０を表示パネル１６０と兼用することもできる。
【００３０】
また、本実施の形態は、ドラム式洗濯機を一例として詳述したが、縦型洗濯機に用いてもよく、衣類乾燥機に用いてもよい。
【産業上の利用可能性】
【００３１】
以上のように、本発明にかかる衣類処理装置は、簡単な構成によりタッチセンサ式釦の操作性を向上することが可能になるので、他の衣類処理装置の用途にも適用できる。
【符号の説明】
【００３２】
１１０  本体筐体
１２０  操作表示部
１３０  操作表示部筐体
１３１  角筒状リブ
１３２  段部
１３３  開口部
１４０  表示デバイス
１４１  デバイス表示部
１４２  デバイス非表示部
１５０  回路基板
１５１  導電面
１６０  表示パネル
１６１  表示窓
１６２  操作部
１７０  接着剤
１８０  接着剤
２４３  押えリブ
【図１】
0006311127.tif 000002
【図２】
0006311127.tif 000003
【図３】
0006311127.tif 000004